(57)【特許請求の範囲】
【請求項１】
長方形状のベース板状部と該ベース板状部上に形成され且つ段差立上り面部の一方側に低位頂部が形成され他方側に高位頂部が形成された膨出部とを備えると共に前記ベース板状部の長手方向両端は、嵌合端部としてなる嵌合取付部材と、２つの支持脚部と両該支持脚部の下端に内方に向かって突出する嵌合突起片と両前記支持脚部を幅方向に近接させる締付具とを有する挟持脚部材とを備え、前記嵌合取付部材の下方側に延在するように前記支持脚部が設けられ、挟持脚部材の挟持頂部は、平坦状の面として形成され、該挟持頂部上に前記嵌合取付部材が溶接によって固着されてなることを特徴とする屋根用支持具。
【請求項２】
請求項１に記載の屋根用支持具において、前記嵌合取付部材における前記ベース板状部の両前記嵌合端部には下方に折り返し状の屈曲片が形成されてなることを特徴とする屋根用支持具。
【請求項３】
請求項１又は２に記載の屋根用支持具において、前記挟持脚部材の両前記嵌合突起片及び両前記支持脚部の下方且つ一部には樹脂が被覆される樹脂被覆部が設けられてなることを特徴とする屋根用支持具。
【請求項４】
請求項１，２又は３の何れか１項に記載の屋根用支持具において、前記嵌合取付部材の少なくとも一部には樹脂が被覆される樹脂被覆部が設けられてなることを特徴とする屋根用支持具。
【請求項５】
請求項１，２，３又は４の何れか１項に記載の屋根用支持具において、前記挟持脚部材の頂部には挟持頂部が設けられ、前記嵌合取付部材の前記ベース板状部が固着されてなることを特徴とする屋根用支持具。
【請求項６】
請求項１，２，３，４又は５の何れか１項に記載の屋根用支持具において、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなることを特徴とする屋根用支持具。
【請求項７】
主板の幅方向両側に立上り部が形成され、両該立上り部の高さ方向中間箇所に被嵌合屈曲部が形成され、両前記立上り部の一方側の山形頂部には、下馳部が形成され、他方側の前記山形頂部には上馳部を有する折板屋根板材が複数並設され、隣接する両該折板屋根板材同士の前記下馳部と前記上馳部とが馳締連結されてなる下層折板屋根と、該下層折板屋根と同等の折板屋根板材によって前記下層折板屋根と同等の構成とした上層折板屋根とからなる二層折板屋根と、長方形状のベース板状部と該ベース板状部上に形成され且つ段差立上り面部の一方側に低位頂部が形成され他方側に高位頂部が形成された膨出部とを備えると共に前記ベース板状部の長手方向両端は、嵌合端部としてなる嵌合取付部材と、２つの支持脚部と、両該支持脚部の下端に内方に向かって突出する嵌合突起片と、両前記支持脚部を幅方向に近接させる締付具とを有する挟持脚部材とを備え、前記嵌合取付部材の下方側に延在するように前記支持脚部が設けられ、挟持脚部材の挟持頂部は、平坦状の面として形成され、該挟持頂部上に前記嵌合取付部材が溶接によって固着されてなる屋根用支持具とを備え、前記下層折板屋根における隣接する両前記折板屋根板の対向する両前記立上り部上に前記屋根用支持具が配置され、両前記支持脚部は前記締付具にて隣接する両前記折板屋根板の対向する両前記被嵌合屈曲部を挟持固定されると共に、両前記被嵌合屈曲部に、両前記嵌合突起片が嵌合され、前記嵌合取付部材にて前記上層折板屋根が支持されてなることを特徴とする二層折板屋根。
【請求項８】
請求項７に記載の二層折板屋根において、前記嵌合取付部材における前記ベース板状部の両前記嵌合端部には下方に折り返し状の屈曲片が形成されてなることを特徴とする二層折板屋根。
【請求項９】
請求項７又は８に記載の二層折板屋根において、前記嵌合取付部材と前記挟持脚部材の少なくとも何れか一方で、且つ少なくとも前記折板屋根板と接触する箇所には樹脂が被覆される樹脂被覆部が設けられてなることを特徴とする二層折板屋根。
【請求項１０】
請求項７，８又は９の何れか１項に記載の二層折板屋根において、前記挟持脚部材の頂部には挟持頂部が設けられ、前記嵌合取付部材の前記ベース板状部が固着されてなることを特徴とする二層折板屋根。
【請求項１１】
請求項７，８，９又は１０の何れか１項に記載の二層折板屋根において、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなることを特徴とする二層折板屋根。
【発明の詳細な説明】
【技術分野】
【０００１】
本発明は、二層タイプの折板屋根において、下層折板屋根と上層折板屋根との間に設置され、下層折板屋根に簡易且つ迅速に装着することができると共に、上層折板屋根板を極めて強固に支持することができる屋根用支持具及び二層折板屋根に関する。
【背景技術】
【０００２】
従来、下層折板屋根と上層折板屋根とからなる二層タイプの折板屋根が多く存在している。特に、昨今の気象状況や、地球温暖化への対策・省エネ対策の強化として、金属屋根においても、建物の用途によっては、二層折板屋根の要求が高まっている。これらの屋根には、新設の二層タイプの屋根（又は壁）及び既設の屋根（壁も含む）の上に新たに屋根を新設した改修屋根が存在する。その下層折板屋根は、金属製の折板タイプの屋根板材によって施工されている。
【０００３】
この種の二層タイプの屋根において、下馳部と上馳部とを有する折板屋根板材から構成されるものが多く使用されており、隣接する折板屋根板材同士の下馳部と上馳部とが馳締されて、折板屋根板材同士が連結されて折板屋根等が施工されるものが存在する。上層折板屋根と下層折板屋根との間には支持具が設けられており、該支持具は下層折板屋根上に装着され、前記支持具によって上層折板屋根が下層折板屋根上に支持されるものである。
【０００４】
この馳締タイプの折板屋根では、屋根用支持具が下層の折板屋根の馳締部を利用して下層折板屋根上に設置されるものが多かった。つまり、馳締タイプの折板屋根は、吊子と、折板屋根板の馳締部同士との連結のみで、折板屋根板が屋根用支持具に固定される構成となっている。
【０００５】
ところが、馳締部は断面形状が比較的小さな部分であり、該馳締部を利用して、屋根用支持具を装着する構成では、屋根用支持具の構造も複雑になり易いものであった。また、それぞれの折板屋根板に風による負圧が作用したときに、その平坦面が広ければ広いほど、大きな負圧外力が作用し、折板屋根板は上方に持ち上げられるような力がかかる。そして、近年では、自然環境の変化により大型且つ強力な台風が増加し、その規模も強大となる傾向にある。
【０００６】
そのために、二層タイプの折板屋根では折板屋根板同士の馳締連結部が屋根用支持具から折板屋根板が外れて飛ばされてしまうという状況が以前よりも増加する傾向にあり、折板屋根の耐久性を向上させることがより一層強く求められることになった。そこで、受金具には、吊子と共に折板屋根板を強固に固定するために工夫が行われている。
【先行技術文献】
【特許文献】
【０００７】
【特許文献１】特開２０１４−４０７２０号公報
【発明の開示】
【発明が解決しようとする課題】
【０００８】
屋根，壁等の外囲体を構成する折板屋根板が強風による負圧にて破損することを防止するための具体的な対策の一例として、馳締部等の連結箇所以外の部分で屋根用支持具に折板屋根板を固定する構造としたものが存在する。その具体例として特許文献１を挙げる。特許文献１を概説する。なお、符号は特許文献１に使用されたものをそのまま使用する。
【０００９】
特許文献１には、屋根材取付部(3)と脚部(1)が開示されている。折板屋根材(10)の側部の上下方向中間に係止部(12)が形成されている。また、タイトフレーム(T)には、折板同
士の馳締部を支持固定するハゼ受部(6)が具備されている。この特許文献１に見られるよ
うに近年では、馳締タイプの折板屋根板には、馳締部以外に被係止部が形成され、タイトフレーム（屋根用支持具）は、馳締連結部と共に被係止部でも折板屋根板が固定される構成としたもの多く使用されている。
【００１０】
ところで、特許文献１では、屋根材取付部(3)は、立方体状の箱の開口を下向きにした
ような形状であり、該屋根材取付部(3)の外周の対向する一辺を係止受部(5)としたものである。そして、前述したように、近年気象環境が大きく変化し、台風も発生も増加し、しかも大型化している状況にある。そのため、特許文献１における屋根材取付部(3)の係止受部(5)の領域は小さく、折板屋根材(10)の係止部(12)との係止範囲も狭くなり、その係止状態は必ずしも万全とは言えず、強風によって係止受部(5)と係止部(12)とが外れてしまうおそれは十分にある。
【００１１】
また、多くの馳締タイプの屋根は、丸馳タイプのものが多くなっている。そのために、折板屋根板同士の馳締連結箇所を屋根受具に固定するために、屋根施工用の吊子が必要であり、したがって、屋根受具に吊子を配置するためのスペースが必要となる。このような吊子のスペースが特許文献１には存在しておらず、多種の馳締タイプの折板屋根板を設置することができない。そこで、本発明の目的は、強風によって折板屋根板が極めて外れ難く、優れた耐久性を有し、しかも施工を簡単にできる屋根用支持具及びその二層折板屋根を提供することにある。
【課題を解決するための手段】
【００１２】
そこで、発明者は上記課題を解決すべく鋭意，研究を重ねた結果、請求項１の発明を、長方形状のベース板状部と該ベース板状部上に形成され且つ段差立上り面部の一方側に低位頂部が形成され他方側に高位頂部が形成された膨出部とを備えると共に前記ベース板状部の長手方向両端は、嵌合端部としてなる嵌合取付部材と、２つの支持脚部と両該支持脚部の下端に内方に向かって突出する嵌合突起片と両前記支持脚部を幅方向に近接させる締付具とを有する挟持脚部材とを備え、前記嵌合取付部材の下方側に延在するように前記支持脚部が設けられ、挟持脚部材の挟持頂部は、平坦状の面として形成され、該挟持頂部上に前記嵌合取付部材が溶接によって固着されてなる屋根用支持具としたことにより、上記課題を解決した。
【００１３】
請求項２の発明を、請求項１に記載の屋根用支持具において、前記嵌合取付部材における前記ベース板状部の両前記嵌合端部には下方に折り返し状の屈曲片が形成されてなる屋根用支持具としたことにより、上記課題を解決した。請求項３の発明を、請求項１又は２に記載の屋根用支持具において、前記挟持脚部材の両前記嵌合突起片及び両前記支持脚部の下方且つ一部には樹脂が被覆される樹脂被覆部が設けられてなる屋根用支持具としたことにより、上記課題を解決した。請求項４の発明を、請求項１，２又は３の何れか１項に記載の屋根用支持具において、前記嵌合取付部材の少なくとも一部には樹脂が被覆される樹脂被覆部が設けられてなる屋根用支持具としたことにより、上記課題を解決した。
【００１４】
請求項５の発明を、請求項１，２，３又は４の何れか１項に記載の屋根用支持具において、前記挟持脚部材の頂部には挟持頂部が設けられ、前記嵌合取付部材の前記ベース板状部が固着されてなる屋根用支持具としたことにより、上記課題を解決した。請求項６の発明を、請求項１，２，３，４又は５の何れか１項に記載の屋根用支持具において、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなる屋根用支持具としたことにより、上記課題を解決した。
【００１５】
請求項７の発明を、主板の幅方向両側に立上り部が形成され、両該立上り部の高さ方向中間箇所に被嵌合屈曲部が形成され、両前記立上り部の一方側の山形頂部には、下馳部が形成され、他方側の前記山形頂部には上馳部を有する折板屋根板材が複数並設され、隣接する両該折板屋根板材同士の前記下馳部と前記上馳部とが馳締連結されてなる下層折板屋根と、該下層折板屋根と同等の折板屋根板材によって前記下層折板屋根と同等の構成とした上層折板屋根とからなる二層折板屋根と、長方形状のベース板状部と該ベース板状部上に形成され且つ段差立上り面部の一方側に低位頂部が形成され他方側に高位頂部が形成された膨出部とを備えると共に前記ベース板状部の長手方向両端は、嵌合端部としてなる嵌合取付部材と、２つの支持脚部と、両該支持脚部の下端に内方に向かって突出する嵌合突起片と、両前記支持脚部を幅方向に近接させる締付具とを有する挟持脚部材とを備え、前記嵌合取付部材の下方側に延在するように前記支持脚部が設けられ、挟持脚部材の挟持頂部は、平坦状の面として形成され、該挟持頂部上に前記嵌合取付部材が溶接によって固着されてなる屋根用支持具とを備え、前記下層折板屋根における隣接する両前記折板屋根板の対向する両前記立上り部上に前記屋根用支持具が配置され、両前記支持脚部は前記締付具にて隣接する両前記折板屋根板の対向する両前記被嵌合屈曲部を挟持固定されると共に、両前記被嵌合屈曲部に、両前記嵌合突起片が嵌合され、前記嵌合取付部材にて前記上層折板屋根が支持されてなる二層折板屋根としたことにより、上記課題を解決した。
【００１６】
請求項８の発明を、請求項７に記載の二層折板屋根において、前記嵌合取付部材における前記ベース板状部の両前記嵌合端部には下方に折り返し状の屈曲片が形成されてなる二層折板屋根としたことにより、上記課題を解決した。請求項９の発明を、請求項７又は８に記載の二層折板屋根において、前記嵌合取付部材と前記挟持脚部材の少なくとも何れか一方で、且つ少なくとも前記折板屋根板と接触する箇所には樹脂が被覆される樹脂被覆部が設けられてなる二層折板屋根としたことにより、上記課題を解決した。
【００１７】
請求項１０の発明を、請求項７，８又は９の何れか１項に記載の二層折板屋根において、前記挟持脚部材の頂部には挟持頂部が設けられ、前記嵌合取付部材の前記ベース板状部が固着されてなる二層折板屋根としたことにより、上記課題を解決した。請求項１１の発明を、請求項７，８，９又は１０の何れか１項に記載の二層折板屋根において、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなる二層折板屋根としたことにより、上記課題を解決した。
としたことにより、上記課題を解決した。
【発明の効果】
【００１８】
請求項１の発明では、挟持脚部材は、嵌合取付部材と挟持脚部材とを備えたものであり、嵌合取付部材は、ベース板状部と膨出部とを有している。挟持脚部材は、２つの支持脚部を有し、両支持脚部の下端には幅方向(Ｙ方向)の内方に向かって突出する嵌合突起片を有している。本発明における屋根用支持具は、特に二層折板屋根における下層の折板屋根上に配置され、上層の折板屋根を支持するものとして極めて好適である。
【００１９】
特に、二層折板屋根を構成する折板屋根板の立上り部に形成された被嵌合屈曲に対して屋根用支持具の支持脚部の下端から幅方向(Ｙ方向)の内方に向かって形成された嵌合突起片が嵌合され、両支持脚部を締付具にて締め付けることで、屋根用支持具は下層の折板屋根に対して極めて強固に固定することができる。
【００２０】
さらに、ベース板状部は長方形状であり、そのＹ方向つまり長手方向の両端部分を嵌合端部としたものである。つまり、長方形状のベース板状部のＹ方向両端を嵌合端部としたことにより、折板屋根板の被嵌合屈曲部に嵌合された場合では、嵌合端部は直線状で嵌合範囲を大きく且つ有効的に確保することができる。
【００２１】
嵌合取付部材において膨出部は、ベース板状部をベースとして上方に向かって膨出する構造としたものであり、そのため膨出部は、略シェル的な構造或いは略モノコック的な構造となる。したがって、ベース板状部と膨出部とが相互に他方を補強することができ、嵌合取付部材は、力学的強度に優れたものにできる。
【００２２】
また、膨出部は、段差立上り面部の一方側に低位頂部が形成され他方側に高位頂部が形成された構造であり、特に馳締タイプの折板屋根板による折板タイプの屋根，壁面の施工に好適となる。つまり、膨出部に低位頂部及び高位頂部が設けられており、折板屋根板を装着するための吊子を前記低位頂部に設置することで、馳締タイプの折板屋根板同士の馳締連結部を安定した状態で配置することができる。
【００２３】
さらに、請求項１では、支持脚部と両該支持脚部の下端に内方に向かって突出する嵌合突起片と両前記支持脚部を幅方向に近接させる締付具とを有する挟持脚部材とを備えており、二層折板屋根を施工するときに、前記支持脚部の嵌合突起片が嵌合係止可能な被嵌合屈曲部を有する折板屋根板からなる下層折板屋根に対して、締付具を緩めたり締め付けたりすることで、屋根用支持具を下層折板屋根に簡易且つ迅速に設置することができる。
【００２４】
請求項２の発明では、前記ベース板状部の両前記嵌合端部には下方に折り返し状の屈曲片が形成されたことにより、ベース板状部のＹ方向両端の嵌合端部の力学的強度をより一層向上させることができる。なお、上記構成に前記膨出部のＹ方向両端面と前記高位頂部及び前記低位頂部との角部は丸みを有してなる構成を加えれば、嵌合取付部材の嵌合端部に折板屋根板の被嵌合屈曲部を嵌合するときに、前記丸みによって、嵌合し易く、且つ被嵌合屈曲部側には傷が付き難くなる。
【００２５】
請求項３の発明では、前記挟持脚部材の両前記嵌合突起片及び両前記支持脚部の下方且つ一部には樹脂が被覆される樹脂被覆部が設けられる構成としたもので、前記挟持脚部材の両前記嵌合突起片及び両前記支持脚部の下方且つ一部には樹脂が被覆される樹脂被覆部が設けられた構成としたものである。そして、本発明における屋根用支持具を二層折板屋根の構成に使用した場合において、上層折板屋根から屋根用支持具に高温又は低温における熱が屋根用支持具に伝達されたとしても、屋根用支持具の挟持脚部材の両支持脚部の下方且つ一部に被覆された樹脂被覆部によって、熱が下層折板屋根に伝達されることを遮断し、下層の折板屋根及びその室内に低温或いは高温が伝達されることを防止できる。
【００２６】
請求項４の発明では、前記嵌合取付部材の少なくとも一部には樹脂が被覆される樹脂被覆部が設けられた構成により、上層折板屋根が夏季等の高温により上層折板屋根を構成する折板屋根板が長手方向(Ｘ方向)に沿って熱伸縮って屋根用支持具に対する位置ずれが生じ、振動及び騒音を発生することがある。このようなときに、嵌合取付部材の樹脂被覆部が、上層折板屋根との位置ずれ時による振動及び騒音の発生を最小限に低減し、板鳴り現象を抑制することができる。
【００２７】
請求項５の発明では、前記挟持脚部材の頂部には挟持頂部が設けられ、前記嵌合取付部材の前記ベース板状部が固着される構成により、嵌合取付部材は、挟持頂部に対して固着手段として溶接が好適となり、屋根用支持具の製造を簡単にでき、量産性に向いたものにできる。請求項６の発明では、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなる構成により、被嵌合屈曲部を有する折板屋根板に対してより一層好適なものとなる。
【００２８】
請求項７の発明では、極めて強固な馳締タイプの二層折板屋根を施工することができる。請求項８の発明では、前記ベース板状部の両前記嵌合端部には下方に折り返し状の屈曲片が形成されたことにより、ベース板状部のＹ方向両端の嵌合端部の力学的強度をより一層向上させることができる。なお、上記構成に前記膨出部のＹ方向両端面と前記高位頂部及び前記低位頂部との角部は丸みを有してなる構成を加えれば、嵌合取付部材の嵌合端部に折板屋根板の被嵌合屈曲部を嵌合するときに、前記丸みによって、嵌合し易く、且つ被嵌合屈曲部側には傷が付き難くなる。
【００２９】
請求項９の発明では、前記挟持脚部材の両前記嵌合突起片及び両前記支持脚部の下方且つ一部には樹脂が被覆される樹脂被覆部が設けられた構成としたものである。そして、本発明における屋根用支持具を二層折板屋根の構成に使用した場合において、上層の折板屋根から屋根用支持具に高温又は低温における熱が屋根用支持具に伝達されたとしても、屋根用支持具の挟持脚部材の両支持脚部の下方且つ一部に被覆された樹脂被覆部によって、熱が下層の折板屋根に伝達されることを遮断し、下層の折板屋根及びその室内に低温或いは高温が伝達されることを防止できる。
【００３０】
また、前記嵌合取付部材の少なくとも一部には樹脂が被覆される樹脂被覆部が設けられ場合では、上層折板屋根が夏季等の高温により上層折板屋根を構成する折板屋根板が長手方向(Ｘ方向)に沿って熱伸縮って屋根用支持具に対する位置ずれが生じ、振動及び騒音を発生することがある。このようなときに、嵌合取付部材の樹脂被覆部が、上層折板屋根との位置ずれ時による振動及び騒音の発生を最小限に低減し、板鳴り現象を抑制することができる。
【００３１】
請求項１０の発明では、前記挟持脚部材の頂部には挟持頂部が設けられ、前記嵌合取付部材の前記ベース板状部が固着される構成により、嵌合取付部材は、挟持頂部に対して固着手段として溶接が好適となり、屋根用支持具の製造を簡単にでき、量産性に向いたものにできる。請求項１１の発明では、前記挟持脚部材の両前記支持脚部には、垂下状脚片が形成され、両該垂下状脚片の下端には外方に拡がる平坦状脚片が形成され、両該平坦状脚片の外端より外方下向きに傾斜する傾斜脚片が形成されてなる構成により、被嵌合屈曲部を有する折板屋根板に対してより一層好適なものとなる。
【図面の簡単な説明】
【００３２】
【図１】（Ａ）は本発明における第１実施形態の屋根用支持具を使用した馳締タイプの二層折板屋根、（Ｂ）は（Ａ）の（α）部拡大図である。
【図２】（Ａ）は本発明における吊子を分離した状態の屋根支持具の第１実施形態の正面図、（Ｂ）は（Ａ）のＹ1-Ｙ1矢視断面図、（Ｃ）は（Ａ）のＹ2-Ｙ2矢視断面図である。
【図３】（Ａ）は本発明における第１実施形態の要部の分離斜視図、（Ｂ）は嵌合取付部材の平面図である。
【図４】（Ａ）は本発明における第２実施形態の屋根用支持具を使用した馳締タイプの二層折板屋根の要部拡大図、（Ｂ）は第２実施形態の屋根用支持具の断面図、（Ｃ）は（Ｂ）のＹ2-Ｙ2矢視端面図である。
【図５】（Ａ）は角馳タイプの折板屋根板を使用した二層折板屋根の要部縦断正面図、（Ｂ）は立馳タイプの折板屋根板を使用した二層折板屋根の要部縦断正面図。
【図６】（Ａ）は本発明における屋根用支持具を使用した馳締タイプの三層折板屋根、（Ｂ）は（Ａ）の(β)部拡大図である。
【図７】（Ａ）は嵌合取付部材の第１変形例を有する屋根用支持具の要部縦断側面図、（Ｂ）は嵌合取付部材の第２変形例を有する屋根用支持具の要部縦断側面図。
【図８】本発明における二層折板屋根に使用される折板屋根板の断面略示図、（Ｂ）は（Ａ）の(γ)部拡大図である。
【発明を実施するための形態】
【００３３】
以下、本発明の屋根用支持具Ａ及び該屋根用支持具Ａを使用した二層折板屋根Ｂの実施形態を図面に基づいて説明する。まず、本発明における屋根用支持具Ａの説明を行い、次に該屋根用支持具Ａを用いた二層折板屋根Ｂについて説明する。屋根用支持具Ａは、主に折板タイプの金属屋根板から構成される二層折板屋根Ｂの使用に好適とされる。特に、屋根用支持具Ａは、馳締タイプの折板屋根の使用に対して好適である。
【００３４】
本発明では、方向を示す文言としてＸ方向及びＹ方向を使用する。本発明の屋根用支持具Ａによって施工される二層折板屋根Ｂは、該二層折板屋根Ｂを構成する複数の折板屋根板８，８，…の並列される方向をＹ方向としている〔図１（Ａ）参照〕。また、各折板屋根板８の長手方向となる方向をＸ方向とする。したがって、本発明の屋根用支持具が装着される構造材の長手方向はＹ方向となる〔図１（Ａ）参照〕。このＸ方向及びＹ方向は、屋根用支持具Ａにも適用され、二層折板屋根Ｂに組込まれた状態で、二層折板屋根ＢのＸ方向及びＹ方向にならうものとする。Ｘ方向及びＹ方向については、図中に記載した。
【００３５】
本発明には、複数の実施形態が存在し、何れも金属製の嵌合取付部材Ａ1と、金属製の
挟持脚部材５とによって構成される。嵌合取付部材Ａ1は、ベース板状部１と膨出部２と
から構成される〔図１(Ａ)参照〕。ベース板状部１は、Ｙ方向を長手方向とした長方形の板状に形成されたものである〔図２（Ａ），図３(Ｂ)等参照〕。ベース板状部１の板厚寸法は、参考として通常、約２乃至２.５ミリ程度である。
【００３６】
膨出部２は、前記ベース板状部１の上方から見ると凸状の膨らみ状で且つ下方から見ると凹状の窪みとなる部位であり、ベース板状部１を土台として、四方及び上方が全て閉鎖状となった構造である〔図１(Ｂ)，図２（Ａ），（Ｂ），図３等参照〕。具体的には、カプセルを半割にした略方形状容器のような形状である。膨出部２は、上面から見ると略長方形状であり、その４つの角部は丸みつまり円弧状に形成されている〔図１(Ｂ)，図２（Ａ），（Ｂ），図３等参照〕。
【００３７】
また、膨出部２は、ベース板状部１に対して、その内部に収まるようにして、最大限の面積を有するように形成されている〔図２（Ａ），（Ｂ），図３参照〕。つまり、膨出部２の平面形状は、ベース板状部１の平面形状の範囲内において占める割合が大きく設定されている〔図２（Ａ），図３(Ａ)，（Ｂ）参照〕。膨出部２の４個の角は円弧状であり、そのためにベース板状部１の４個の隅は、平坦状の部位として残されている。さらに、ベース板状部１の長辺付近は僅かに略平坦となる部位が残されている〔図１(Ｂ)，図２（Ａ），（Ｂ），図３等参照〕。
【００３８】
膨出部２には、Ｙ方向の中間箇所に段差立上り面部２１が設けられている〔図１(Ｂ)，図２（Ａ），図３等参照〕。該段差立上り面部２１は、膨出部２のＹ方向或いは長手方向に直交且つ略垂直状の面である。該段差立上り面部２１を境にしてＹ方向における一方側の部分を低位頂部２２であり、Ｙ方向における他方側の部分を高位頂部２３である。低位頂部２２は、高位頂部２３よりも低い位置となっている〔図１(Ｂ)，図２（Ａ），図３等参照〕。低位頂部２２には、後述する吊子８７が装着される部位となる〔図１(Ｂ)，図２（Ａ），図３参照〕。
【００３９】
膨出部２のＹ方向（長手方向）の両側面、つまり、低位頂部２２及び高位頂部２３の外方に面する側面は、上方から下方に向かって外方に傾斜する傾斜状の面として形成されている。そして、低位頂部２２側に連続する傾斜面を低位傾斜面２４と称し、高位頂部２３側に連続する傾斜面を高位傾斜面２５と称する〔図１(Ｂ)，図２（Ａ），図３等参照〕。前記低位頂部２２と低位傾斜面２４との角部２２ｔは、円弧状の丸みを有している。
【００４０】
同様に、高位頂部２３と高位傾斜面２５との角部２３ｔも円弧状の丸みを有している〔図１(Ｂ)，図２（Ａ），（Ｂ），図３等参照〕。また、嵌合取付部材Ａ1のＸ方向に沿う両側には、側面部２６，２６が形成されている。側面部２６は、低位頂部２２及び高位頂部２３，低位傾斜面２４及び高位傾斜面２５に亘って、Ｙ方向に連続する側面である〔図２（Ａ），（Ｂ）及び図３参照〕。
【００４１】
前記ベース板状部１の長手方向つまりＹ方向の両端の位置は、嵌合端部１１，１１となっている〔図１(Ｂ)，図２（Ａ），図３等参照〕。両該嵌合端部１１，１１は、長方形状の前記ベース板状部１の対向する両短辺部分で、直線の縁となっている。両該嵌合端部１１，１１は、後述する二層折板屋根Ｂを構成する下層折板屋根Ｂ1における折板屋根板８の被嵌合屈曲部８６，８６に嵌合して、下層折板屋根Ｂ1に屋根用支持具Ａを固定する役目をなす（図１参照）。つまり、ベース板状部１の嵌合端部１１は、その全体が折板屋根板８の被嵌合屈曲部８６に当接することができる。また、嵌合端部１１は、前記膨出部２の低位傾斜面２４及び高位傾斜面２５の下端と同一位置となっている。
【００４２】
両前記嵌合端部１１，１１には、ベース板状部１の下面側に向かって折り返し状の屈曲片１１ａが形成されている〔図２(Ａ)，図３参照〕〕。両屈曲片１１ａは、それぞれの屈曲片１１ａは、断面略横「Ｕ」字形状に形成される〔図１(Ｂ)，図２（Ａ），図３等参照〕。又は、略逆「ハ」字形状となるように屈曲形成される（図７参照）。
【００４３】
両該屈曲片１１ａがベース板状部１の両嵌合端部１１，１１に形成されることにより、両嵌合端部１１，１１部分の力学的強度を向上させると共に、折板屋根板８の被嵌合屈曲部８６との当接状態をより確実なものにできる。さらに、折板屋根板８の被嵌合屈曲部８６を、嵌合取付部材Ａ1の嵌合端部１１と嵌合させるときに、折板屋根板８の内面側に傷が付くことを防止することができる。
【００４４】
膨出部２の低位頂部２２に形成された連結用固定孔２２ａの位置で且つ前記低位頂部２２の下面側には内ネジ部４が設けられる〔図１(Ｂ)，図２（Ａ）参照〕。該内ネジ部４は、低位頂部２２の下面側に溶接等にて固着されている。或いは、内ネジ部４は、嵌合取付部材Ａ1には固着されず、嵌合取付部材Ａ1と吊子８７とを連結するときに固定用ボルト８８と共に別部材として使用される。
【００４５】
内ネジ部４は、内部に内ネジ４１を有する円筒状の部材としたものであり、該内ネジ４１には前記固定用ボルト８８の螺子軸部分が螺合する〔図２(Ａ)参照〕。内ネジ部４は、単にナットを代用品として使用しても構わない。嵌合取付部材Ａ1は、ベース板状部１に対して膨出部２が成形型からなるプレス機を使用してプレス加工により形成される。
【００４６】
嵌合取付部材Ａ1の第１変形例では、前記ベース板状部１に対して膨出部２が占有する
面積を少なくしたものである(図７参照)。この実施形態では、ベース板状部１の平坦状部が多く現われる。つまり、第１変形例における嵌合取付部材Ａ1では、ベース板状部１に
は、膨出部２が形成されていない部位が広く存在することになり、ベース板状部１のＹ方向の両側部分のみならず、Ｘ方向の両側部分にも平坦状の部位が存在することになる。
【００４７】
また、嵌合取付部材Ａ1の第２変形例として、膨出部２の低位傾斜面２４及び高位傾斜
面２５を、略垂直状にすることもある〔図７（Ｂ）参照〕。これによって、嵌合取付部材Ａ1は、膨出部２の成形範囲をより一層狭くし、ベース板状部１の平坦状部分を大きくす
ることができる。
【００４８】
嵌合取付部材Ａ1の第２変形例のように、ベース板状部１に対して膨出部２の形成領域
を小さくすることにより、ベース板状部１の嵌合端部１１，１１の形状がより一層、突出し且つ嵌合端部１１における屈曲片１１ａ部分の角度がより一層鋭角となり、折板屋根板の被嵌合屈曲部に食い込み易くすることができ、折板屋根板８の屋根用支持具に対する固定状態をより一層強固なるものにすることができる。
【００４９】
第１変形例及び第２変形例の嵌合取付部材Ａ1についても、前述したように、ベース板
状部１に膨出部２が膨出形成されることにより、膨出部２はカプセルを半割にした容器のような形状となる。したがって、膨出部２は、略シェル的な構造或いは略モノコック的な構造となり、ベース板状部１と膨出部２とが相互に他方を補強することができ、嵌合取付部材Ａ1は、相乗的に力学的強度に優れたものにできる。
【００５０】
次に、挟持脚部材５は、挟持頂部５１と支持脚部５２，５２と嵌合突起片５３，５３及び締付具５５等から構成されている〔図１(Ｂ)，図２（Ａ），図３（Ａ）参照〕。前記挟持頂部５１は、平坦(フラット)状の面として形成されている〔図１(Ｂ)，図２（Ａ），図３（Ａ）参照〕。挟持頂部５１と両支持脚部５２，５２と両嵌合突起片５３，５３は、１つの金属帯板材からプレス加工等により一体形成されたものである〔図１（Ｂ），図２（Ａ），図３（Ａ）等参照〕。
【００５１】
挟持頂部５１上には、前記嵌合取付部材Ａ1が載置固着される部位となる。具体的には、挟持頂部５１上に嵌合取付部材Ａ1が溶接によって固着されることが好適である。そのために、挟持頂部５１は、平坦状面であることが好適である。また、嵌合取付部材Ａ1と挟持頂部５１は、ボルト・ナット等の固着手段を採用しても構わない。
【００５２】
挟持頂部５１の幅方向(Ｙ方向)の両端から下方に向かって支持脚部５２，５２が形成され、該支持脚部５２，５２の下端から、幅方向(Ｙ方向)の内方に向かって突出する嵌合突起片５３，５３が形成されている〔図１(Ｂ)，図２（Ａ），図３（Ａ）参照〕。そして、両支持脚部５２，５２は、さらに、垂下状脚片５２１，５２１が形成され、該垂下状脚片５２１，５２１の下端から幅方向(Ｙ方向)の外方に拡がる平坦状脚片５２２，５２２が形成され、両該平坦状脚片５２２，５２２の外端より幅方向(Ｙ方向)外方下向きに傾斜する傾斜脚片５２３，５２３が形成されている。
【００５３】
両支持脚部５２，５２をさらに詳細に説明すると、上下方向に略垂直状の両垂下状脚片５２１，５２１は、略平行状であり、両垂下状脚片５２１，５２１の下端から幅方向(Ｙ
方向)の外方に向かって平坦状脚片５２２，５２２が形成される。両該平坦状脚片５２２
，５２２は、略水平状であり、具体的には幅方向(Ｙ方向)の外方下向きに僅かに傾斜している。両該平坦状脚片５２２，５２２の外端から幅方向(Ｙ方向)の外方下向きに傾斜脚片５２３，５２３が形成されている。そして、両該傾斜脚片５２３，５２３の下端から幅方向(Ｙ方向)の内方に向かって嵌合突起片５３，５３が形成される〔図１(Ｂ)，図２（Ａ），図３（Ａ）参照〕。
【００５４】
両支持脚部５２，５２の垂下状脚片５２１，５２１には、締付具５５が設けられる〔図１(Ｂ)，図２（Ａ），図３（Ａ）参照〕。締付具５５は、ボルト５５１とナット５５２及び座金(ワッシャー)５５３から構成される。ボルト頭部５５１ａには、方形状の回り止め部５５１ｂが隣接して形成されている。両前記垂下状脚片５２１，５２１には、ボルト５５１のネジ軸が挿通する挿通孔５４，５４が形成されている。
【００５５】
一方の挿通孔５４は、前記回り止め部５５１よりも僅かに大きい方形状の孔であり、該回り止め部５５１が挿通孔５４に挿通する。これによって、ボルト５５１は、挿通孔５４に対して空転(空回り)することなく、座金(ワッシャー)５５３を介してナット５５２で両垂下状脚片５２１，５２１を締め付けることができ、両支持脚部５２，５２同士の間隔を狭くしたり、拡げたりすることができ、同時に両嵌合突起片５３，５３同士の間隔を狭くしたり、拡げたりすることができる。
【００５６】
ここで、挟持脚部材５の両垂下状脚片５２１，両平坦状脚片５２２，両傾斜脚片５２３は、二層折板屋根Ｂにおける下層折板屋根Ｂ1を構成する並列配置された折板屋根板８，
８，…において、その隣接する折板屋根板８，８同士の馳締連結箇所を中心とする山形部上方の形状と略同一形状又は、その山形部上方の形状に略倣う形状となる〔図１(Ｂ)参照〕。また、特に図示しないが、両支持脚部５２，５２は、両垂下状脚片５２１，両平坦状脚片５２２，両傾斜脚片５２３を備えず、単に直線傾斜状の脚部としてもかまわない。
【００５７】
また、挟持脚部材５における両支持脚部５２，５２及び嵌合突起片５３，５３は、奥行方向つまりＸ方向において、所定の長さを有している。具体的には、前記挟持頂部５１を長方形状としたときに、そのＸ方向を長辺とすると、支持脚部５２及び嵌合突起片５３のＸ方向における長さ寸法は、挟持頂部５１の長辺に等しい〔図３（Ａ）参照〕。
【００５８】
つまり、二層折板屋根Ｂにおける下層折板屋根Ｂ1を構成する折板屋根板８の被嵌合屈
曲部８６に対して支持脚部５２及び嵌合突起片５３は、線接触状態に接触(当接)する。これによって、下層折板屋根Ｂ1に装着された屋根用支持具Ａは、Ｘ方向に沿って倒れ難い
構造にすることができ、強固な装着にすることができる。
【００５９】
挟持頂部５１，支持脚部５２及び嵌合突起片５３には、それぞれリブ５１ｒ，リブ５２ｒ及び５３ｒが形成されることもある〔図１(Ｂ)，図２（Ａ），図３（Ａ）参照〕。挟持頂部５１におけるリブ５１ｒは、挟持頂部５１から上下何れか一方に膨出形成されたものであり、断面略半円状であり、Ｘ方向において２列で且つＹ方向に沿って直線状に形成されたものである〔図３(Ａ)参照〕。
【００６０】
ここで、並列されたリブ５1ｒ，５１ｒの間隔は、嵌合取付部材Ａ1のＸ方向における両側面部２６，２６の内面側の近接して収まる間隔としている〔図２(Ｂ)参〕。これによって、２つのリブ５１ｒ，５１ｒは、挟持頂部５１に嵌合取付部材Ａ1を溶接等の固着手段
により固着する場合の位置決めとしての役目をなすものである。
【００６１】
支持脚部５２のリブ５２ｒについては、支持脚部５２の上下方向に亘って連続形成されている。リブ５２ｒは、支持脚部５２から幅方向(Ｙ方向)の外方側に膨出形成されたものであり、断面略半円状であり、Ｘ方向において平行状の２列で上下方向に直線状に形成されたものである。そして、支持脚部５２を構成する両垂下状脚片５２１，両平坦状脚片５２２，両傾斜脚片５２３に亘って、連続的且つ直線状に形成されたものである〔図３(Ａ)参照〕。嵌合突起片５３におけるリブ５３ｒは、嵌合突起片５３から下方に膨出形成されたものであり、断面略半円状であり、Ｘ方向において２列で且つＹ方向に沿って直線状に形成されたものである〔図２（Ａ），図３(Ａ)参照〕。
【００６２】
次に、本発明における屋根用支持具Ａの第２実施形態として、挟持脚部材５の両嵌合突起片５３，５３及び両支持脚部５２，５２の下方且つ一部には樹脂が被覆、換言するならばコーティングされる樹脂被覆部５６が設けられている。具体的には、該樹脂被覆部５６とは、挟持脚部材５が二層折板屋根Ｂにおける下層折板屋根Ｂ1を構成する複数の折板屋
根板８，８，…において、その隣接する折板屋根板８，８同士の馳締連結箇所を中心とする山形部に適正に装着された状態で、挟持脚部材５の両支持脚部５２，５２及び両嵌合突起片５３，５３が下層折板屋根Ｂ1と直接、接触する部分に樹脂による被覆が行われてい
る部分のことである（図４参照）。
【００６３】
樹脂被覆部５６は、挟持脚部材５の全体に設けられるものではなく、少なくとも一部の部分のみでよく、この一部とは、具体的には、前述したように、下層折板屋根Ｂ1と屋根
用支持具Ａとの接触(当接)箇所のことである。挟持脚部材５に設けられた樹脂被覆部５６は、二層折板屋根Ｂにおける上層折板屋根Ｂ2からの温度の流れを遮断する断熱としての
役目をなすものである〔図４（Ａ），（Ｂ）参照〕。
【００６４】
樹脂被覆部５６によって、低温又は高温等の外気温が二層折板屋根Ｂの上層折板屋根Ｂ2から屋根用支持具Ａに伝達されたとしても、該屋根用支持具Ａから下層折板屋根Ｂ1には熱の伝達をほとんど遮断し、熱伝達熱を防止するとともに、下層折板屋根Ｂ1下の室内の
温度を略一定にすることができるものである。
【００６５】
ここで、樹脂被覆部５６は、流動浸漬式ポリエチレンにより行われ、さらに具体的には、紛体樹脂塗料が収容されている槽に挟持脚部材５の一部を漬け込むことにより、被覆(コーティング)が行われ、樹脂被覆部５６が形成されるものである〔図４（Ｃ）参照〕。
前述したように、該樹脂被覆部５６は、挟持脚部材５を構成する嵌合突起片５３と、支持脚部５２において、垂下状脚片５２１の下方の一部(つまり下端付近)と、平坦状脚片５２２と、傾斜脚片５２３に設けられる。
【００６６】
すなわち、下層折板屋根Ｂ1を構成する隣接する折板屋根板８，８同士の連結箇所に構成される山形部と接触する挟持脚部材５には樹脂被覆部５６が設けられるものである。また、樹脂被覆部５６は、挟持頂部５１を含む挟持脚部材５の全体に設けても構わない。
【００６７】
次に、本発明の第２実施形態において、嵌合取付部材Ａ1の少なくとも一部には樹脂が被覆、換言するならばコーティングされる樹脂被覆部５６が設けられている。具体的には、嵌合取付部材Ａ1に、上層折板屋根Ｂ2を構成する複数の折板屋根板８，８，…において、その隣接する折板屋根板８，８同士の馳締連結箇所を中心とする山形部がその下面から適正に支持された状態で、嵌合取付部材Ａ1と上層折板屋根Ｂ2とが直接、接触する部分に樹脂による被覆が行われている部分のことである〔図４（Ａ）参照〕。
【００６８】
樹脂被覆部５６は、嵌合取付部材Ａ1の全体に設けられるものではなく、少なくとも一
部の部分のみでよく、この一部とは、具体的には、前述したように、上層折板屋根Ｂ2と
嵌合取付部材Ａ1との接触(当接)箇所のことである。したがって、嵌合取付部材Ａ1におけるベース板状部１の両嵌合端部１１，１１及び両屈曲片１１ａ，１１ａに樹脂コーティングされた樹脂被覆部５６が設けられる。さらに、膨出部２における段差立上り面部２１，低位頂部２２の一部，高位頂部２３の一部及び高位傾斜面２５に樹脂コーティングされた樹脂被覆部５６が設けられる。また、樹脂被覆部５６は、嵌合取付部材Ａ1の全体に設け
ても構わない。
【００６９】
屋根用支持具Ａに設けられる樹脂被覆部５６については、以下に示す３パターンが存在する。まず、第１のパターンでは、屋根用支持具Ａの嵌合取付部材Ａ1及び挟持脚部材５
には、樹脂被覆部５６が設けられないパターンである。このパターンでは、二層折板屋根Ｂにおいて断熱の必要性が無い場合である。
【００７０】
次に、第２のパターンとしては、樹脂被覆部５６が嵌合取付部材Ａ1の挟持脚部材５側
のみに設けられるパターンである。このパターンでは、直接外気温を受ける上層折板屋根Ｂ2から屋根用支持具Ａを介して下層折板屋根Ｂ1側に温度の伝達を遮断するものであり、樹脂被覆部５６は断熱としての役目をなす。
【００７１】
次に、第３のパターンとして、樹脂被覆部５６が嵌合取付部材Ａ1の挟持脚部材５側及
び嵌合取付部材Ａ1の両方に設けられるパターンである。このパターンでは、樹脂被覆部
５６は、前述した上層折板屋根Ｂ2から屋根用支持具Ａを介して下層折板屋根Ｂ1側に温度の伝達を遮断する断熱としての役目と共に、上層折板屋根Ｂ2における板鳴り現象を低減
させる役目をなすものである。
【００７２】
このパターンにおいて、上層折板屋根Ｂ2は、外気温の影響を受けて、特に夏季では高温により上層折板屋根Ｂ2を構成する折板屋根板８は長手方向(Ｘ方向)に沿って熱伸縮を行う。この場合、上層折板屋根Ｂ2と該上層折板屋根Ｂ2を支持する屋根用支持具Ａの嵌合取付部材Ａ1との間で位置ずれが生じ、振動及び騒音を発生する。そして、このとき嵌合取付部材Ａ1の樹脂被覆部５６は、上層折板屋根Ｂ2との位置ずれ時による振動及び騒音の発生を最小限に低減し、板鳴り現象を抑制する役目をなすものである。なお、樹脂被覆部５６は、嵌合取付部材Ａ1にのみ設けられ、挟持脚部材５には設けられないこともある。
【００７３】
次に、二層折板屋根Ｂについて説明する。二層折板屋根Ｂは下層折板屋根Ｂ1と上層折板屋根Ｂ2とから構成される〔図１，図２（Ａ），図７（Ａ）参照〕。なお下層折板屋根は下弦屋根と称することがあり、上層折板屋根は上弦屋根と称することもある。下層折板屋根Ｂ1と上層折板屋根Ｂ2の構成は同一又は略同一であり、下層折板屋根Ｂ1と上層折板屋根Ｂ2を構成するそれぞれの折板屋根板８についても同一又は略同一である。下層折板屋根Ｂ1及び上層折板屋根Ｂ2は、同一の馳締タイプの折板屋根板８により構成される。
【００７４】
下層折板屋根Ｂ1及び上層折板屋根Ｂ2を構成する折板屋根板８は同一なので、同一符号を付与する。そして、折板屋根板８については、下層折板屋根Ｂ1を構成する折板屋根板８及び上層折板屋根Ｂ2を構成する折板屋根板８と称する。下層折板屋根Ｂ1及び上層折板屋根Ｂ2を構成するそれぞれの折板屋根板８の構成は、平坦状の主板８１が設けられ、該
主板８１の幅方向両側に立上り部８２，８２が形成され、該立上り部８２，８２の上端から山形頂部８３，８３が形成されている。
【００７５】
折板屋根板８の幅方向一方側の山形頂部８３には、下馳部８４が形成され、他方側の山形頂部８３には上馳部８５が形成されている。下馳部８４及び上馳部８５は、その断面形状に円弧形状の部分が存在する丸馳形状に形成されたものであるが、その他に形状を略方形状とした角馳タイプのものや〔図５（Ａ）参照〕、形状を略逆Ｌ字形状とした立馳タイプのもの〔図５（Ｂ）参照〕が存在する。
【００７６】
また、前記主板８１の幅方向（Ｙ方向）の中心箇所には断面略扁平Ｖ字形状としたＶ字状底部８１１が形成されている（図１参照）。該Ｖ字状底部８１１は、主板８１の中でも特に最も深い部分であり〔図１（Ａ）参照〕、主板８１の長手方向（Ｘ方向）に連続して形成されている。Ｖ字状底部８１１は、その最深部８１１ａは折板建築用板８の長手方向（Ｘ方向）に沿って連続する折線となっている〔図１（Ａ）参照〕。
【００７７】
主板８１にＶ字状底部８１１が設けられることにより、折板建築用板８全体の断面係数が向上して力学的強度に優れたものとなる。特に、Ｖ字状底部８１１は、最深部８１１ａを中心とする略逆三角形状をなしており、Ｖ字状底部８１１は、上方に向かって極めて反り返り難い構造となっている。したがって、本発明の建築用受具にて構造材９上に装着された折板建築用板８は、特に強風による負圧に対して強く、優れた耐久性を有するものである。
【００７８】
次に、両前記立上り部８２には、被嵌合屈曲部８６がそれぞれ形成されている。該被嵌合屈曲部８６は、両前記立上り部８２の高さ方向の中間箇所に段状部として形成されたものであり、該立上り部８２において、前記段状部の上方側が下方側よりも外方に突出するように形成された部位である〔図１(Ｂ)，図８参照〕。或いは、換言するならば、立上り部８２において、前記段状部の下側が上方側よりも内方側に凹むように突出するように形成された部位である。折板屋根板８における被嵌合屈曲部８６は、屋根用支持具Ａの嵌合取付部材Ａ1の嵌合端部１１と嵌合する役目をなす部位である〔図１(Ｂ)，図８参照〕。
【００７９】
次に、二層折板屋根Ｂにおいて、下層折板屋根Ｂ1上に屋根用支持具Ａが設置され、該
屋根用支持具Ａ上に層折板屋根Ｂ2が施工される工程を説明する。まず、下層屋根Ｂにつ
いて説明する。下層折板屋根Ｂ1は、折板屋根板８と屋根受具７と構造材９にて屋根（壁
も含む）により構成される。下層折板屋根Ｂ1を支持する屋根受具７は、屋根用支持具Ａ
の嵌合取付部材Ａ1と同様の嵌合取付部材Ａ1を有している。
【００８０】
下層折板屋根Ｂ1を支持する構造材９上に複数の屋根受具７，７，…が配置される。そ
して下層折板屋根Ｂ1を構成する複数の折板屋根板８，８，…は、下馳部８４と上馳部８
５とが馳締連結され、隣接する折板屋根板８，８の連結箇所の対向する被嵌合屈曲部８６，８６が屋根受具７の嵌合取付部材Ａ1の両嵌合端部１１，１１に嵌合されて、折板屋根板８が屋根受具７に固定される。嵌合取付部材Ａ1によって複数の折板屋根板８，８，…を支持する工程については、屋根用支持具Ａの嵌合取付部材Ａ1によって上層折板屋根Ｂ2を構成する複数の折板屋根板８，８，…を支持する構成と同様であるので、後述する上層折板屋根Ｂ2の施工の説明を参照されたい。
【００８１】
まず、下層折板屋根Ｂ1を構成する複数の折板屋根板８，８，…の下馳部８４と上馳部
８５とによる連結箇所を中心とする山形部上に、屋根用支持具Ａが設置される。屋根用支持具Ａは、下層折板屋根Ｂ1を構成する複数の並列された折板屋根板８，８，…のＹ方向及びＸ方向に沿って行列状態で設置される。
【００８２】
屋根用支持具Ａの下層折板屋根Ｂ1への設置は、挟持脚部材５の両支持脚部５２，５２
の下端の嵌合突起片５３，５３を下層折板屋根Ｂ１の隣接する折板屋根板８，８の両被嵌合屈曲部８６，８６を挟持するように配置し、締付具５５を締め付けることによって、両嵌合突起片５３，５３を両被嵌合屈曲部８６，８６に嵌合係止させる。屋根用支持具Ａを下層折板屋根Ｂ1に設置する。
【００８３】
次に、上層折板屋根Ｂ2を構成する折板屋根板８を隣接する屋根用支持具Ａ，Ａ間に配
置し両被嵌合屈曲部８６，８６に対して、隣接する嵌合取付部材Ａ1,Ａ1のそれぞれの嵌
合端部１１，１１が適正に嵌合することができるように設定される〔図１（Ａ）参照〕。そして、下層折板屋根Ｂ1上で隣接する屋根用支持具Ａ，Ａの嵌合取付部材Ａ1，Ａ1間に
折板屋根板８が配置され、該折板屋根板８を押し込むようにして、その両被嵌合屈曲部８６，８６と、隣接する屋根用支持具の嵌合取付部材Ａ1,Ａ1の対向する嵌合端部１１，１１とを嵌合させる。
【００８４】
そして、折板屋根板８の下馳部８４を吊子８７の舌片８７ｂを馳締し、屋根用支持具Ａの嵌合取付部材Ａ1の低位頂部２２に、吊子８７を固定用ボルト８８と内ネジ部(ナット等)４によって固着する。舌片８７ｂには、取付孔８７ｃが形成され、該取付孔８７ｃには、前記固定用ボルト８８が挿通する構成となっている。次いで、隣接する折板屋根板８，８同士の下馳部８４と上馳部８５とを馳締して二層折板屋根Ｂにおける上層折板屋根Ｂ2を施工するものである（図１参照）。
【００８５】
前記吊子８７は、座金部８７ａと舌片８７ｂとを備えており、前記座金部８７ａが嵌合取付部材Ａ1の低位頂部２２上に載置され、固定用ボルト８８と内ネジ部(ナット等)４に
よって座金部８７ａが固着されるものである（図５参照）。また、隣接する折板屋根板８，８の下馳部８４と上馳部８５とは、吊子８７の舌片８７ｂを挟むようにして馳締される〔図１（Ｂ）参照〕。また、吊子８７は、舌片８７ｂと固定用ボルト８８のみで構成される実施形態も存在する〔図１(Ｂ)，図２（Ａ）等参照〕。
【００８６】
このように、折板屋根板８は、吊子８７を介して、本発明の屋根用支持具の嵌合取付部材Ａ1の低位頂部２２に固定支持されると共に、屋根用支持具の両嵌合端部１１，１１に
よって、折板屋根板８の被嵌合屈曲部８６，８６が嵌合部固定されるものである。つまり、本発明の屋根用支持具は、折板屋根板８を嵌合取付部材Ａ1の低位頂部２２に装着された吊子８７及び嵌合端部１１，１１の複数個所で固定することができるものである。これによって、本発明の屋根用支持具は、折板屋根板８，８，…によって施工された屋根，壁等の外囲体を極めて強固に支持固定し、特に強風による負圧に対して優れた耐久性を発揮できるものである。
【００８７】
二層折板屋根Ｂに、さらに、折板屋根を１つ加えて三層折板屋根とすることもある（図６参照）。この場合、上層折板屋根Ｂ2に、さらに三層目となる、最上層折板屋根Ｂ3が設置され、三層の折板屋根となる。下層折板屋根Ｂ1と上層折板屋根Ｂ2との間及び上層折板屋根Ｂ2と最上層折板屋根Ｂ3との間に屋根用支持具Ａが設けられる。また、下層折板屋根Ｂ1，上層折板屋根Ｂ2及び最上層折板屋根Ｂ3のそれぞれの馳締部の位置は全て一致(略一致も含む)し、馳締部が上中下に揃う支持箇所において屋根用支持具Ａは、上下２個使用
される（図６参照）。  
【００８８】
次に、上層折板屋根Ｂ2は、図１，図２（Ａ）に示すように、前記下層折板屋根Ｂ1と同等の構成であり、同様の折板屋根板８が使用される。折板屋根板８は、下層折板屋根Ｂ1
を構成する折板屋根板８と同等又は略同等の構造を有するものであり、上層折板屋根Ｂ2を構成する折板屋根板８の説明は下層折板屋根Ｂ1を構成する折板屋根板８の説明を参照
されたい。二層折板屋根Ｂにおける下層折板屋根Ｂ1と上層折板屋根Ｂ2との間には、グラスウール等の断熱材ｍが充填されることもある（図６参照）。
【符号の説明】
【００８９】
Ａ…屋根用支持具、Ａ1…嵌合取付部材、１…ベース板状部、１１…嵌合端部、
１１ａ…屈曲片、２…膨出部、２１…段差立上り面部、２２…低位頂部、
２３…高位頂部、５…挟持脚部材、５１…挟持頂部、５２…支持脚部、
５３…嵌合突起片、５２…支持脚部、５２ａ…垂下状脚片、５２ｂ…平坦状脚片、
５２ｃ…傾斜脚片、５５…締付具、５６…樹脂被覆部、Ｂ…二層折板屋根、
Ｂ1…下層折板屋根、Ｂ2…上層折板屋根、折板屋根板８。
【要約】
【目的】二層タイプの折板屋根において、下層折板屋根と上層折板屋根との間に設置され、下層折板屋根に簡易且つ迅速に装着することができるともに、上層折板屋根板を極めて強固に支持することができる屋根用支持具及び二層折板屋根を提供すること。
【構成】長方形状のベース板状部１と該ベース板状部１上に形成され且つ段差立上り面部２１の一方側に低位頂部２２が形成され他方側に高位頂部２３が形成された膨出部２とを備えると共にベース板状部１の長手方向両端は嵌合端部１１としてなる嵌合取付部材Ａ1と、２つの支持脚部５２と両該支持脚部５２の下端に内方に向かって突出する嵌合突起片５３と両支持脚部５２を幅方向に近接させる締付具５５とを有する挟持脚部材５とを備えること。嵌合取付部材Ａ1の下方側に延在するように支持脚部５２が設けられなること。
【選択図】      図１【図１】
0006979543.tif 000002
【図２】
0006979543.tif 000003
【図３】
0006979543.tif 000004
【図４】
0006979543.tif 000005
【図５】
0006979543.tif 000006
【図６】
0006979543.tif 000007
【図７】
0006979543.tif 000008
【図８】
0006979543.tif 000009